(57)【要約】      （修正有）【課題】衣類に取り付けられて、この衣類が多数回洗濯されたとしても、その内部回路が破断したりして故障することがなく、延命限界を大幅に延長することができる保護具付きランドリーＩＣタグを提供する。【解決手段】リネン業等の衣類洗濯業において、衣類に取り付けられて、該衣類の管理のために使用されるランドリーＩＣタグ１が、少なくとも該ランドリーＩＣタグ１の中央部のＩＣ３が埋め込まれている部分及び該ＩＣ３とアンテナ４との接合部６が埋め込まれている部分に跨がる領域において、ランドリー用布ラベルで二重巻きにされて被覆されている。【選択図】図３
0003113123.tif 000002
【実用新案登録請求の範囲】
【請求項１】
リネン業等の衣類洗濯業において、衣類に取り付けられて、該衣類の管理のために使用されるランドリーＩＣタグが、少なくとも該ランドリーＩＣタグの中央部のＩＣが埋め込まれている部分及び該ＩＣとアンテナとの接合部が埋め込まれている部分に跨がる領域において、ランドリー用布ラベルで二重巻きにされて被覆されていることを特徴とする保護具付きランドリーＩＣタグ。
【請求項２】
リネン業等の衣類洗濯業において、衣類に取り付けられて、該衣類の管理のために使用されるランドリーＩＣタグが、少なくとも該ランドリーＩＣタグの中央部のＩＣが埋め込まれている部分及び該ＩＣとアンテナとの接合部が埋め込まれている部分に跨がる領域において、ランドリー用布ラベルを二重に重ねて形成された両端解放の筒状の袋により被覆されていることを特徴とする保護具付きランドリーＩＣタグ。
【請求項３】
前記ＩＣが突出している側が熱圧着方向に向く面とされていることを特徴とする請求項１又は請求項２に記載の保護具付きランドリーＩＣタグ。
【考案の詳細な説明】
【技術分野】
【０００１】
本願の考案は、保護具付きランドリーＩＣタグに関し、特にリネン業等の衣類洗濯業において、衣類に取り付けられて、該衣類の管理のために使用されるランドリーＩＣタグの耐久性を飛躍的に向上させた保護具付きランドリーＩＣタグに関する。
【背景技術】
【０００２】
今日、医療、介護、食品等衛生・環境上行政指導が必要とされる業界をサービスの提供先とする専業の衣類洗濯業者は、特にリネン業者と呼ばれ、一般家庭をサービスの提供先とする専業の洗濯業者であるホームクリーニング業者と区別されている。このようなリネン業者が、その洗濯業務の中において、洗濯の対象となる多数の衣類を管理するために、従来、ＩＣタグが衣類に取り付けられて使用されている。このようなＩＣタグは、特に洗濯業で使用されるＩＣタグという意味で、「ランドリーＩＣタグ」と呼ばれている。
【０００３】
図８及び図９には、このような従来のランドリーＩＣタグ１が図示されている。図８は、その模式的な縦断面図であり、図９は、その実物図であって、（ａ）が平面図、（ｂ）が裏面図である。このランドリーＩＣタグ１は、図７に図示されるオリジナルＩＣタグ２が、図８に図示されるように、薄い柔軟性、耐摩耗性、耐水性、耐熱性に優れた内外の樹脂シート５ａ、５ｂにより二重に被覆されて、密封されて成るもので、平面視して縦１５ｍｍ程度、横５０〜６０ｍｍ、厚さ１ｍｍ程度の細長くて薄い外形形状をなしている。オリジナルＩＣタグ２は、その内部中央にＩＣ３が埋め込まれており、このＩＣ３の左右には、左右に細長く延びるアンテナ４の両端部が接合されている。なお、図８においては、説明の便宜のために、ＩＣタグ１の厚さが故意に拡大されて図示されている。
【０００４】
このような構造から成るランドリーＩＣタグ１は、従来、そのままの構造にして布ラベルで覆われて、この布ラベルが熱圧着又は縫製で衣類に固着されることにより、衣類に直接に取り付けられている。このため、この衣類が、リネン業者が使用する水洗い設備で水洗される場合には、この衣類が激しく揉まれるのに伴って、特にＩＣ３とアンテナ４との接合部（ポッティング部のエッジ部分）６に集中的に繰り返し応力が加わり、この部分が破断して、ＩＣタグ１が比較的短期（少数回の水洗作業）で使えなくなってしまい、延命限界が短いという問題が生じていた。
なお、ここで、ポッティング部とは、ＩＣ３を中心とする所定の領域が絶縁性の接着剤で固化されている部分である。また、延命限界とは、本来の、洗濯前に測定された機能・性能が維持され続ける期間を指し、ここでは、ある測定環境におけるランドリーＩＣタグ１とアンテナとの間の測定距離が維持され続ける期間を指している。
【特許文献１】特開２００３−１０５６０９号公報
【特許文献２】特開２００１−０２９７００号公報
【考案の開示】
【考案が解決しようとする課題】
【０００５】
本願の考案は、従来のランドリーＩＣタグが有する前記のような問題点を解決して、衣類に取り付けられて、この衣類が多数回洗濯されたとしても、その内部回路が破断したりして故障することがなく、延命限界を大幅に延長することができる保護具付きランドリーＩＣタグを提供することを課題とする。
【課題を解決するための手段】
【０００６】
前記のような課題は、本願の各請求項に記載された次のような考案により解決される。
すなわち、その請求項１に記載された考案は、リネン業等の衣類洗濯業において、衣類に取り付けられて、該衣類の管理のために使用されるランドリーＩＣタグが、少なくとも該ランドリーＩＣタグの中央部のＩＣが埋め込まれている部分及び該ＩＣとアンテナとの接合部が埋め込まれている部分に跨がる領域において、ランドリー用布ラベルで二重巻きにされて被覆されていることを特徴とする保護具付きランドリーＩＣタグである。
【０００７】
請求項１に記載された考案は、前記のように構成されているので、その保護具付きランドリーＩＣタグが、通常どおり、別途のランドリー用布ラベルで覆われて、該ランドリー用布ラベルが熱圧着もしくは縫製により衣類に固着されることにより、該衣類に取り付けられて、この衣類が多数回洗濯されたとしても、その保護具付きランドリーＩＣタグは、この衣類が激しく揉まれることにより最も集中的に繰り返し応力を受け易いＩＣとアンテナとの接合部が埋め込まれている部分がランドリー用布ラベルで二重巻きにされて被覆されているので、この接合部に加わる繰り返し応力が著しく低減されて、この接合部が破断することがなくなる。これにより、この衣類の多数回洗濯に対しても、その保護具付きランドリーＩＣタグは、故障することがなく、その延命限界が大幅に延長されて、洗濯コストを顕著に低減することができる。
【０００８】
また、その請求項２に記載された考案は、リネン業等の衣類洗濯業において、衣類に取り付けられて、該衣類の管理のために使用されるランドリーＩＣタグが、少なくとも該ランドリーＩＣタグの中央部のＩＣが埋め込まれている部分及び該ＩＣとアンテナとの接合部が埋め込まれている部分に跨がる領域において、ランドリー用布ラベルを二重に重ねて形成された両端解放の筒状の袋により被覆されていることを特徴とする保護具付きランドリーＩＣタグである。
【０００９】
請求項２に記載された考案は、前記のように構成されているので、その保護具付きランドリーＩＣタグが、通常どおり、別途のランドリー用布ラベルで覆われて、該ランドリー用布ラベルが熱圧着もしくは縫製により衣類に固着されることにより、該衣類に取り付けられて、この衣類が多数回洗濯されたとしても、その保護具付きランドリーＩＣタグは、この衣類が激しく揉まれることにより最も集中的に繰り返し応力を受け易いＩＣとアンテナとの接合部が埋め込まれている部分が、ランドリー用布ラベルを二重に重ねて形成された両端解放の筒状の袋により被覆されているので、この接合部に加わる繰り返し応力が著しく低減されて、この接合部が破断することがなくなる。これにより、この衣類の多数回洗濯に対しても、その保護具付きランドリーＩＣタグは、故障することがなく、その延命限界が大幅に延長されて、洗濯コストを顕著に低減することができる。
【００１０】
また、その請求項３に記載された考案は、請求項１又は請求項２に記載の保護具付きランドリーＩＣタグにおいて、そのＩＣが突出している側が熱圧着方向に向く面とされていることを特徴としている。
【００１１】
この構成により、洗濯動作が繰り返される場合、ＩＣが突出している部分が衣類と繰り返し接触して、この部分が破壊される虞が低減されるとともに、この部分が支点となって、ＩＣとアンテナとの接合部に無理な応力が加わり、この接合部が破断する虞も解消される。
【考案の効果】
【００１２】
前記のとおり、本願の考案によれば、その保護具付きランドリーＩＣタグが、通常どおり、別途のランドリー用布ラベルで覆われて、該ランドリー用布ラベルが熱圧着もしくは縫製により衣類に固着されることにより、該衣類に取り付けられて、この衣類が多数回洗濯されたとしても、その保護具付きランドリーＩＣタグは、この衣類が激しく揉まれることにより最も集中的に繰り返し応力を受け易いＩＣとアンテナとの接合部が埋め込まれている部分がランドリー用布ラベルで二重巻きにされて被覆されるか、ランドリー用布ラベルを二重に重ねて形成された両端解放の筒状の袋により被覆されているので、この接合部に加わる繰り返し応力が著しく低減されて、この接合部が破断することがなくなる。これにより、この衣類の多数回洗濯に対しても、その保護具付きランドリーＩＣタグは、故障することがなく、その延命限界が大幅に延長されて、洗濯コストを顕著に低減することができる。
【考案を実施するための最良の形態】
【００１３】
リネン業等の衣類洗濯業において、衣類に取り付けられて、該衣類の管理のために使用されるランドリーＩＣタグが、少なくとも該ランドリーＩＣタグの中央部のＩＣが埋め込まれている部分及び該ＩＣとアンテナとの接合部が埋め込まれている部分に跨がる領域において、ランドリー用布ラベルで二重巻きにされて被覆されている。
【実施例１】
【００１４】
次に、本願の考案の第１の実施例（実施例１）について説明する。
図１は、本実施例１の保護具付きランドリーＩＣタグを製作する方法の説明図、図２は、完成した同保護具付きランドリーＩＣタグの平面図である。
【００１５】
本実施例１の保護具付きランドリーＩＣタグ１０は、リネン業やホームクリーニング業等の衣類洗濯業において、衣類に取り付けられて、該衣類の管理のために使用されるものであり、その中央部に埋め込まれたＩＣには、顧客名、衣類の種類、洗濯方法、依頼日、納入予定日、管理番号等の情報が書き込まれている。なお、ＩＣによっては、そのユニコード（管理番号に相当）のみがそこに書き込まれていて、その他の情報はサーバ側で記憶させておいて、当該衣類管理システムを運営するような方法も考えられ得る。
【００１６】
この保護具付きランドリーＩＣタグ１０は、図１に図示されるように、従来のランドリーＩＣタグ１（図８、図９参照）が、所要大のランドリー用布ラベル２０で二重巻きにされて被覆され、その表裏が熱圧着により該ランドリー用布ラベル２０に固定されることにより、図２に図示されるような平面形状に仕上げられたものである。ここで、ランドリー用布ラベル２０としては、できるだけ樹脂に近い性質を備え、柔軟性、耐摩耗性、耐水性、耐熱性に優れたものが使用される。
【００１７】
保護具付きランドリーＩＣタグ１０は、前記のようにして製作されており、ランドリーＩＣタグ１を被覆している二重樹脂５（５ａ、５ｂ。図８参照）と、二重巻きにされたランドリー用布ラベル２０との、総計四重樹脂により被覆されて、一体形成されているので、従来、ＩＣ３とアンテナ４との接合部６に集中的に加えられていた応力は、点から線、面へと分散されて、柔軟性を確保しつつも、耐久性（対ストレス性）に優れた保護具付きランドリーＩＣタグ１０が得られる。ランドリーＩＣタグ１の寸法は、例えば、縦１４ｍｍ、横５２ｍｍ、厚さ１ｍｍである。
【００１８】
ランドリー用布ラベル２０は、本来、衣類をそのサイズ、所属、属性等で特定するための表記（バーコードを含む）が印字されて後、熱圧着もしくは縫製の手段により衣類に固着されて用いられるか、同様の手段により、従来のランドリーＩＣタグ１をそれ自体と衣類との間に挟んでこれを衣類に取り付けるために用いられるものである。本実施例１の保護具付きランドリーＩＣタグ１０においては、このようなランドリー用布ラベル２０が、従来のランドリーＩＣタグ１をストレスから保護する機能（延命機能）をも果たすものとして用いられている。
【００１９】
なお、ランドリーＩＣタグ１がランドリー用布ラベル２０で二重巻きにされて被覆される領域は、図１及び図２に図示されるように、その全領域とされても良いが、希望する延命限界の設定の範囲如何によっては、必ずしもこれに限定されず、少なくともランドリーＩＣタグ１の中央部のＩＣ３が埋め込まれている部分及び該ＩＣ３とアンテナ４との接合部（ポッティング部のエッジ部分が略この接合部に相当する。）６が埋め込まれている部分とに跨がる領域とされれば良い。このようにすることにより、仮にランドリーＩＣタグ１の電子回路に破断が生ずるとしても、その個所は、ＩＣ３とアンテナ４との接合部６から、そこよりも線幅の大きいアンテナ４の部位に移ることになり、その破断の確率は、大幅に低減されることになり、その全領域がランドリー用布ラベル２０で被覆される場合と略同様の効果が奏される。
【００２０】
図３には、このようにして変形されて形成された保護具付きランドリーＩＣタグ１０が図示されている。このものにおいては、ランドリー用布ラベル２０で二重巻きにされて被覆された領域は、長さ方向中心から左右にそれぞれ８．５ｍｍ、全長１７ｍｍ（ｓ＝８．５ｍｍ、ｔ＝１７ｍｍ）に及ぶ領域とされている。本考案者の実験によれば、全長ｔ＝１７ｍｍ、２６ｍｍ、４５ｍｍ、５２ｍｍとされた４種類の保護具付きランドリーＩＣタグ１０−１〜１０−４を用意し、これらを、図４に図示されるように、別途用意されたランドリー用布ラベルでそれぞれ覆って、該ランドリー用布ラベルを熱圧着により衣類５０に固着することにより、これら４種類の保護具付きランドリーＩＣタグ１０−１〜１０−４を該衣類５０に取り付け、該衣類５０を多数回洗濯した結果、保護具付きランドリーＩＣタグ１０−１〜１０−４のいずれについても、その電子回路に破断が生ずることなく、良好な結果が得られた。
【００２１】
保護具付きランドリーＩＣタグ１０を、通常どおり、別途用意されたランドリー用布ラベルで覆って、該ランドリー用布ラベルを熱圧着もしくは縫製により衣類に固着することにより、これを該衣類に取り付けるに際しては、ＩＣ３が突出している側（通常は、ランドリーＩＣタグ１に表記されている文字が読める側）が熱圧着方向に向く面となるようにして行うのが良い。このようにすれば、洗濯動作が繰り返される場合、ＩＣ３が突出している部分が衣類と繰り返し接触して、この部分が破壊される虞が激減されるし、この部分が支点となって、ＩＣ３とアンテナ４との接合部６に無理な応力が加わり、この接合部６が破断する虞も解消される。
【００２２】
本実施例１の保護具付きランドリーＩＣタグ１０は、前記のように構成されているので、次のような効果を奏することができる。
その保護具付きランドリーＩＣタグ１０が、通常どおり、別途のランドリー用布ラベルで覆われて、該ランドリー用布ラベルが熱圧着もしくは縫製により衣類に固着されることにより、該衣類に取り付けられて、この衣類が多数回洗濯されたとしても、その保護具付きランドリーＩＣタグ１０は、この衣類が激しく揉まれることにより最も集中的に繰り返し応力を受け易いＩＣ３とアンテナ４との接合部６が埋め込まれている部分がランドリー用布ラベル２０で二重巻きにされて被覆されているので、この接合部６に加わる繰り返し応力が著しく低減されて、この接合部６が破断することがなくなる。これにより、この衣類の多数回洗濯に対しても、その保護具付きランドリーＩＣタグ１０は、故障することがなく、その延命限界が大幅に延長されて、耐久性が飛躍的に向上し、洗濯コストを顕著に低減することができる。
【実施例２】
【００２３】
次に、本願の考案の第２の実施例（実施例２）について説明する。
図５は、本実施例２の保護具付きランドリーＩＣタグを製作する方法の説明図、図６は、完成した同保護具付きランドリーＩＣタグの側面図である。
【００２４】
本実施例２の保護具付きランドリーＩＣタグ３０は、図５に図示されるように、従来のランドリーＩＣタグ１（図８、図９参照）が、大小２枚のランドリー用布ラベル４１、４２を二重に重ねて形成された両端解放の筒状の袋４０により被覆されることにより形成されている。
【００２５】
この筒状の袋４０は、詳細には、次のようにして形成されている。
すなわち、先ず、図５（ａ）に図示されるように、矩形状の大き目のランドリー用布ラベル４１と、矩形状の小さ目のランドリー用布ラベル４２とが用意される。次いで、これらが、それらの接着剤塗布面同士が向かい合うようにして、且つ、図５（ｂ）に図示されるように、それらの中心線Ｌ１、Ｌ２が合致するようにして、重ね合わされて、アイロン等の使用により高温で仮留めされる。次いで、このようにして重ね合わされて一体化されたランドリー用布ラベル４１、４２が、図５（ｃ）に図示されるように、その中心線Ｌ３（この中心線Ｌ３は、中心線Ｌ１、Ｌ２と合致している。）で折り返されて、その両側縁ののりしろとして残された部分４３同士が、すでにそこに塗布されている接着剤を利用して熱圧着させることにより、貼り合わせられる。このようにして、筒状の袋４０が形成される。
【００２６】
この筒状の袋４０には、次いで、図５（ｄ）に図示されるように、ランドリーＩＣタグ１が挿入される。
筒状の袋４０の大きさは、これにランドリーＩＣタグ１が挿入されたとき、これとランドリーＩＣタグ１とが密着する程度にされているので、筒状の袋４０は、ランドリーＩＣタグ１のＩＣ３とアンテナ４との接合部６及びその近傍をしっかりと保持して、それらの部分が外力により変形するのを防止する。このようにして、延命限界が大幅に延長された保護具付きランドリーＩＣタグ３０が完成される（図６参照）。
【００２７】
ランドリー用布ラベル４１、４２は、実施例１のランドリー用布ラベル２０と同じ材質のものである。筒状の袋４０は、両端部を除いて、そのままにして閉じており、ランドリーＩＣタグ１を抱持することができるので、ランドリーＩＣタグ１は、筒状の袋４０に熱圧着により固定される必要がなく、熱圧着機会が１つ減らされている。このため、実施例１のランドリーＩＣタグ１が二重巻きにされたランドリー用布ラベル２０に熱圧着により固定されたのと比較すると、ランドリーＩＣタグ１が衣類に装着される前に、これが熱により破壊される危険性が軽減されている。
【００２８】
なお、筒状の袋４０の形成工程を示す図５中、（ｂ）の工程において、布ラベル４１の接着剤が塗布された面と布ラベル４２の接着剤が塗布されない面とを向かい合わせにして、これらをアイロン等の使用により高温で仮留めするようにし、このようにして得られた二重重ね布ラベルを、（ｃ）に図示されるように、布ラベル４２を内側にして中心線Ｌ３で折り返し、その両側縁ののりしろとして残された部分４３同士を貼り合わせるようにして、筒状の袋４０を形成するようにすれば、この筒状の袋４０内に挿入されたランドリーＩＣタグ１を筒状の袋４０に熱圧着により固定することができるが、このようにして得られた保護具付きランドリーＩＣタグ３０は、前記のような欠点がある上に、全体がやや硬くなって、衣類との馴染みが悪くなる。
【００２９】
筒状の袋４０の両端部は、必ず開放されていなければならない。その理由は、全周が閉じた完全な密閉型袋とされた場合には、（１）洗い及び乾燥における高温環境下、熱による分子運動が活発化して、熱膨張が起き、筒状の袋４０が破裂する虞があること、（２）この破裂に起因して、筒状の袋４０内に洗い水が侵入して、ランドリーＩＣタグ１の読み取り阻害を生ずる虞があること、（３）前記（１）に起因して、ＩＣの損壊を起こす虞があることに因る。これらの虞あるいは可能性が否定できないので、洗い水の流動性が良い両端の開いた袋状とするのである。但し、高温の程度、その他の条件により、完全に閉じた、又は一部閉じた袋状が適切な場合には、この限りでない。
【００３０】
ランドリーＩＣタグ１が筒状の袋４０により被覆される領域は、図５及び図６に図示されるように、その全領域とされても良いが、希望する延命限界の設定の範囲如何によっては、必ずしもこれに限定されず、少なくともランドリーＩＣタグ１の中央部のＩＣ３が埋め込まれている部分及び該ＩＣ３とアンテナ４との接合部（ポッティング部分）６が埋め込まれている部分とに跨がる領域とされれば良い。このようにしても、その全領域が筒状の袋４０により被覆される場合と略同様の効果が得られる。
【００３１】
本実施例２の保護具付きランドリーＩＣタグ３０は、前記のように構成されているので、次のような効果を奏することができる。
その保護具付きランドリーＩＣタグ３０が、通常どおり、別途のランドリー用布ラベルで覆われて、該ランドリー用布ラベルが熱圧着もしくは縫製により衣類に固着されることにより、該衣類に取り付けられて、この衣類が多数回洗濯されたとしても、その保護具付きランドリーＩＣタグ３０は、この衣類が激しく揉まれることにより最も集中的に繰り返し応力を受け易いＩＣ３とアンテナ４との接合部６が埋め込まれている部分が筒状の袋４０により被覆されているので、この接合部６に加わる繰り返し応力が著しく低減されて、この接合部６が破断することがなくなる。これにより、この衣類の多数回洗濯に対しても、その保護具付きランドリーＩＣタグ３０は、故障することがなく、その延命限界が大幅に延長されて、耐久性が飛躍的に向上し、洗濯コストを顕著に低減することができる。
【００３２】
なお、本願の考案は、以上の実施例に限定されず、その要旨を逸脱しない範囲において、種々の変形が可能である。
例えば、実施例１において、ランドリーＩＣタグ１を被覆するランドリー用布ラベル２０は、二重巻きにされたが、ランドリー用布ラベル２０の硬さの程度によっては、一重巻きとされる場合もあり得る。また、実施例２において、ランドリーＩＣタグ１を被覆する両端解放の筒状の袋４０は、ランドリー用布ラベル４１、４２を二重に重ねて形成されたが、ランドリー用布ラベル４１、４２の硬さの程度によっては、一重重ねとされる場合もあり得る。
【図面の簡単な説明】
【００３３】
【図１】本願の考案の第１の実施例（実施例１）の保護具付きランドリーＩＣタグを製作する方法の説明図である。
【図２】完成した同保護具付きランドリーＩＣタグの平面図である。
【図３】同保護具付きランドリーＩＣタグの変形例の拡大された模式的な縦断面図である。
【図４】実験に使用された４種類の保護具付きランドリーＩＣタグと、これらの保護具付きランドリーＩＣタグが取り付けられた衣類とを示す図である。
【図５】本願の考案の第２の実施例（実施例２）の保護具付きランドリーＩＣタグを製作する方法の説明図である。
【図６】完成した同保護具付きランドリーＩＣタグの側面図である。
【図７】二重樹脂で被覆されないオリジナルＩＣタグの平面図である。
【図８】従来のランドリーＩＣタグであって、本願の考案の基本構成要素として使用されているランドリーＩＣタグの模式的な縦断面図である。
【図９】同従来のランドリーＩＣタグの実物図であって、（ａ）はその平面図、（ｂ）はその裏面図である。
【符号の説明】
【００３４】
１…ランドリーＩＣタグ、２…オリジナルＩＣタグ、３…ＩＣ、４…アンテナ、５（５ａ、５ｂ）…二重樹脂、６…接合部（ポッティング部分）、１０…保護具付きランドリーＩＣタグ、１０−１〜１０−４…４種類の保護具付きランドリーＩＣタグ、２０…ランドリー用布ラベル、３０…保護具付きランドリーＩＣタグ、４０…筒状の袋、４１、４２…ランドリー用布ラベル、４３…のりしろ部分、５０…衣類。
【図１】
0003113123.tif 000003
【図２】
0003113123.tif 000004
【図３】
0003113123.tif 000005
【図４】
0003113123.tif 000006
【図５】
0003113123.tif 000007
【図６】
0003113123.tif 000008
【図７】
0003113123.tif 000009
【図８】
0003113123.tif 000010
【図９】
0003113123.tif 000011